(57)【要約】【課題】      両面印刷シールをガラスの外側（屋外側）に貼着して、両面からそれぞれの印刷面を見ることができるようにした両面印刷シールに関し、外側（屋外側）に向けられた外出面（最表面）を清掃する手間が不用な両面印刷シールを提供することを課題とする。【解決手段】  両面印刷シール１０は、透明な樹脂フィルム１と、前記透明な樹脂フィルム１の一方の面に設けられた光触媒を含有する透明な光触媒層２と、前記透明な樹脂フィルム１の他方の面に設けられた第１の印刷層３と、前記透明な樹脂フィルム１の他方の面および前記第１の印刷層３を隠蔽する隠蔽層４と、前記隠蔽層４に設けられた第２の印刷層５と、前記隠蔽層４および前記第２の印刷層５に設けられた接着剤層６と、からなり、ガラス８の外側（屋外側）に貼着され、この外側（屋外側）に向けられた外出面（最表面）を光触媒層２としたものである。【選択図】          図２
2007219331.tif 000002
【特許請求の範囲】
【請求項１】
透明な樹脂フィルムと、前記透明な樹脂フィルムの一方の面に設けられた光触媒を含有する透明な光触媒層と、前記透明な樹脂フィルムの他方の面に設けられた第１の印刷層と、前記透明な樹脂フィルムの他方の面および前記第１の印刷層を隠蔽する隠蔽層と、前記隠蔽層に設けられた第２の印刷層と、前記隠蔽層および前記第２の印刷層に設けられた接着剤層と、前記接着剤層に仮着された剥離紙と、からなる両面印刷シール。
【請求項２】
前記第１の印刷層は、前記透明な樹脂フィルムの他方の面に相対して逆像に印刷され、前記第２の印刷層は、前記隠蔽層に相対して正像に印刷されていることを特徴とする請求項１記載の両面印刷シール。
【請求項３】
前記隠蔽層は、少なくとも一層以上の白色インキ層であることを特徴とする請求項１記載の両面印刷シール。
【発明の詳細な説明】
【技術分野】
【０００１】
本発明は、ガラスなどに貼着して両面からそれぞれの印刷面を見ることができるようにした両面印刷シールに関し、特に屋外に露出している面に、光触媒による親水性によって防汚性が付与された両面印刷シールに関する。
【背景技術】
【０００２】
従来、店舗などの透明なガラスの内側（店舗側）に貼着して、両面からそれぞれの印刷面を見ることができるようにした両面印刷シールがある。たとえば、店舗のドアガラスなどに貼着される両面印刷シールでは、内側（店舗側）には「ありがとうございました」、外側（屋外側）には「いらっしゃいませ」、などという文字や販促標語などが印刷されるものである。
【０００３】
しかしながら、このように両面印刷シールをガラスの内側（店舗側）に貼着して、両面からそれぞれの印刷面を見ることができるようにした両面印刷シールでは、屋外からドアガラスを透過して外側（屋外側）に向けられた印刷面を見ることになるので、色の三要素である色相が変わったり、彩度が低くなったり、明度が低くなったりするという問題があった。
【０００４】
つまり、店舗から内側（店舗側）に向けられた印刷面を直接見る場合とは異なるものであり、上記のようにドアガラスを透過して印刷面を見るよりは、印刷面を直接見る方がより効果が高いと考えられる。したがって、店舗外への訴求効果を高めるには、両面印刷シールをドアガラスの外側（屋外側）に貼着して、屋外からは外側（屋外側）に向けられた印刷面が直接見えるようにし、店舗からはドアガラスを透過して内側（店舗側）に向けられた印刷面が見えるようにした方がより効果が高いと考えられる。
【０００５】
しかしながら、このように両面印刷シールをガラスの外側（屋外側）に貼着して、両面からそれぞれの印刷面を見ることができるようにした両面印刷シールでは、外側（屋外側）に向けられた外出面（最表面）が汚れてしまうため、清掃が必要となり手間がかかるという問題があった。
【０００６】
なお、車輛、店舗等の透明なガラス等の透明被粘着体の内側に粘着され、その外側より見て、確認、判読できる両面印刷シールであって、台紙の上に、透明な感圧性粘着剤付の透明な合成樹脂フィルムが仮着され、該透明な合成樹脂フィルムの表面に、逆文字、逆デザインから成る印刷を施し、更に該印刷面の表面に、着色印刷を全面塗布した両面印刷シールとして以下の公報がある。
【０００７】
【特許文献１】特開平８−２２７２７０号公報。
【発明の開示】
【発明が解決しようとする課題】
【０００８】
本発明は以上のような諸問題に鑑みなされたもので、両面印刷シールをガラスの外側（屋外側）に貼着して、両面からそれぞれの印刷面を見ることができるようにした両面印刷シールに関し、外側（屋外側）に向けられた外出面（最表面）を清掃する手間が不用な両面印刷シールを提供することを課題とする。
【課題を解決するための手段】
【０００９】
本発明は上記課題を解決すべく、以下に掲げる構成とした。請求項１記載の発明の要旨は、透明な樹脂フィルムと、前記透明な樹脂フィルムの一方の面に設けられた光触媒を含有する透明な光触媒層と、前記透明な樹脂フィルムの他方の面に設けられた第１の印刷層と、前記透明な樹脂フィルムの他方の面および前記第１の印刷層を隠蔽する隠蔽層と、前記隠蔽層に設けられた第２の印刷層と、前記隠蔽層および前記第２の印刷層に設けられた接着剤層と、前記接着剤層に仮着された剥離紙と、からなる両面印刷シールに関する。
【００１０】
請求項２記載の発明の要旨は、前記第１の印刷層は、前記透明な樹脂フィルムの他方の面に相対して逆像に印刷され、前記第２の印刷層は、前記隠蔽層に相対して正像に印刷されていることを特徴とする請求項１記載の両面印刷シールに関する。
【００１１】
請求項３記載の発明の要旨は、前記隠蔽層は、少なくとも一層以上の白色インキ層であることを特徴とする請求項１記載の両面印刷シールに関する。
【発明の効果】
【００１２】
本発明は、透明な樹脂フィルムと、前記透明な樹脂フィルムの一方の面に設けられた光触媒を含有する透明な光触媒層と、前記透明な樹脂フィルムの他方の面に設けられた第１の印刷層と、前記透明な樹脂フィルムの他方の面および前記第１の印刷層を隠蔽する隠蔽層と、前記隠蔽層に設けられた第２の印刷層と、前記隠蔽層および前記第２の印刷層に設けられた接着剤層と、前記接着剤層に仮着された剥離紙と、からなる両面印刷シールとしたので、両面印刷シールをガラスの外側（屋外側）に貼着して、外側（屋外側）に向けられた外出面（最表面）を清掃する手間が不用な両面印刷シールを提供することができる。
【発明を実施するための最良の形態】
【００１３】
本発明にかかる両面印刷シールについて、図１および図２を用いて説明する。図１は、本発明にかかる両面印刷シールの概略断面図であり、図２は、本発明にかかる両面印刷シールをガラスに貼着した状態を示す概略断面図である。
【００１４】
図１に示す本発明にかかる両面印刷シール１０は、透明な樹脂フィルム１と、前記透明な樹脂フィルム１の一方の面に設けられた光触媒を含有する透明な光触媒層２と、前記透明な樹脂フィルム１の他方の面に設けられた第１の印刷層３と、前記透明な樹脂フィルム１の他方の面および前記第１の印刷層３を隠蔽する隠蔽層４と、前記隠蔽層４に設けられた第２の印刷層５と、前記隠蔽層４および前記第２の印刷層５に設けられた接着剤層６と、前記接着剤層６に仮着された剥離紙７と、からなるものである。
【００１５】
前記透明な樹脂フィルム１を構成する樹脂は特に限定しないが、屋外で用いられることを考慮すると耐候性を有していることが必要であり、たとえば、アクリル樹脂、塩化ビニル樹脂、ウレタン樹脂、ポリエステル樹脂、ポリカーボネート樹脂、などの樹脂が単独、または、混合して用いられる。また、この透明な樹脂フィルム１の厚さも特に限定しないが、印刷機における搬送性や取扱い性から２０〜２００μｍ程度のものが好適に用いられる。さらに、この透明な樹脂フィルム１の耐候性をより向上させる目的で、その透明性を著しく低下させない程度に紫外線吸収剤などを添加することができる。
【００１６】
前記透明な樹脂フィルム１の一方の面に設けられた光触媒を含有する透明な光触媒層２は、その具体的な構成は特に限定せず、光触媒を含有するものであればよい。光触媒とは、光の照射によりそれ自身は変化することなく化学反応を促進する物質であり、たとえば、酸化チタン、酸化亜鉛、酸化タングステン、酸化鉄、などの金属化合物があげられ、これらの少なくとも一つを用いればよい。中でも、高耐久性で触媒活性が高く無害であることから酸化チタンを用いることが好ましい。また、光触媒機能を目的として、パラジウム、銅、銀、金、白金などの金属や金属化合物を添加してもよい。
【００１７】
前記透明な樹脂フィルム１の一方の面に、これらの光触媒粒子とバインダと溶媒とを含む塗料を塗布または転写して塗膜形成後、必要に応じてＵＶ硬化や熱硬化を行うことで、光触媒を含有する透明な光触媒層２が一方の面に設けられた透明な樹脂フィルム１となるものである。
【００１８】
このようにして形成された光触媒層２は、光の照射により活性化されてその表面は親水化され、ちりやほこりなどの汚れとなる物質が表面に付着しても、親水化された表面によって、表面に付着する汚れとなる物質と表面との間に水が割り込んで、汚れとなる物質を浮かせるために付着しにくく、また付着しても降雨などにより容易に洗い流されて除去されるため、汚れとなる物質が堆積しにくくなるものである。
【００１９】
前記透明な樹脂フィルム１の他方の面に設けられた第１の印刷層３は、前記透明な樹脂フィルム１の一方の面に設けられた光触媒層２とは反対側の面に設けられる印刷層である。その印刷内容は任意であり、印刷方式としては、オフセット印刷、凸版印刷、グラビア印刷、スクリーン印刷、いずれでもよいが、屋外で用いられることを考慮すると耐候性を有していること、つまり印刷色が退色しないことが必要であり、この点インク層を厚くすることができるスクリーン印刷やグラビア印刷が好ましい。また、オフセット印刷や凸版印刷を用いる場合は耐候性を有する耐候インクを用いることが必要である。
【００２０】
前記第１の印刷層３は、前記透明な樹脂フィルム１の他方の面に相対して逆像に印刷されるものである。つまり、前記透明な樹脂フィルム１の一方の面に設けられた光触媒層２とは反対側の面に、天地（上下）は正しく、左右は逆という正立逆像に設けられるものである。言い替えれば、前記透明な樹脂フィルム１の他方の面に、鏡に映し出された像（鏡像）の状態で設けられるものである。
【００２１】
たとえば、前記第１の印刷層３として、「いらっしゃいませ」という文字が逆像で印刷されたとすると、前記透明な樹脂フィルム１の他方の面に相対して（向かい合って）見ると、左右が逆に設けられているので文字はそのままでは読むことができない。しかし、前記透明な樹脂フィルム１の一方の面に設けられた光触媒を含有する透明な光触媒層２に相対して（向かい合って）見ると、「いらっしゃいませ」という正像として見ることができるものである。なお、本実施の形態において前記第１の印刷層３は、「いらっしゃいませ」という文字が赤色インクで印刷されているものとする。
【００２２】
前記透明な樹脂フィルム１の他方の面および前記第１の印刷層３を隠蔽する隠蔽層４は、その構成材料を特に限定しないが、形成が容易なことからインク層が好ましく用いられる。たとえば、この隠蔽層４をインク層で形成する場合は、任意の色のインクをベタ印刷して形成することができる。
【００２３】
この隠蔽層４を境界として、前記第１の印刷層３側からは後述する第２の印刷層５が見えないように、逆に後述する第２の印刷層５側からは前記第１の印刷層３が見えないように、お互いの印刷層を隠蔽する目的で設けられるため、一層のみでは隠蔽の度合いが不十分な場合は複数層設けることができる。たとえば、ベタ印刷上にさらにベタ印刷してベタ印刷層を二層設けたり、ベタ印刷上にアルミニウム粉が含有される銀色インクなどをベタ印刷してからさらにインクをベタ印刷して、ベタ印刷層を三層設けたりすることができる。なお、この隠蔽層４は前述のとおり任意の色とすることができるが、白色とすることで前記第１の印刷層３および後述する第２の印刷層５として使用するインキ色に制限が少なくなり好ましい。なお、本実施の形態において前記隠蔽層４は、白色インクがベタ印刷されているものとする。
【００２４】
前記隠蔽層４に設けられた第２の印刷層５は、前記第１の印刷層３と同様にその印刷内容は任意であり、先述した印刷方式やインクを用いることができる。また、この第２の印刷層５は、前記隠蔽層４に相対して、天地（上下）左右正しい正像に印刷されるものである。たとえば、前記第２の印刷層５として、「ありがとうございました」という文字が正像で印刷されたとすると、前記隠蔽層４に相対して（向かい合って）見ると、そのまま「ありがとうございました」という正像として見ることができるものである。なお、本実施の形態において前記第２の印刷層５は、「ありがとうございました」という文字が青色インクで印刷されているものとする。
【００２５】
前記隠蔽層４および前記第２の印刷層５に設けられた接着剤層６は、透明かつ被着体に適した接着力があればよく、感圧性接着剤が好ましく用いられる。この感圧性接着剤の例としては、天然ゴム系、合成ゴム系、アクリル樹脂系、ポリビニルエーテル系、ウレタン樹脂系、シリコーン樹脂系があげられる。上記アクリル樹脂系接着剤の具体例としては、アクリル酸、アクリル酸メチル、アクリル酸エチル、アクリル酸プロピル、アクリル酸ブチル、メタクリル酸エチル、メタクリル酸ブチルの単独重合体または共共重合体が上げられる。また、接着剤層６には、必要に応じて酸化防止剤、紫外線吸収剤などを添加してもよい。
【００２６】
前記接着剤層６に仮着された剥離紙７は、グラシン紙やクラフト紙などの基材の一方の面にシリコーンなどの剥離剤を塗布したもので、この剥離剤面を前記接着剤層６に対接させてこの接着剤層６を保護するものである。
【００２７】
以上のように構成された両面印刷シール１０は、前記剥離紙７で前記接着剤層６を保護したまま取り扱われ、被着体となるガラスなどに貼着する際に前記剥離紙７を剥離して前記接着剤層６を露出させて貼着するものである。
【００２８】
図２は、本発明にかかる両面印刷シールをガラスに貼着した状態を示す概略断面図である。先述したように、前記両面印刷シール１０は、前記剥離紙７を剥離して接着剤層６を露出させ、たとえば、店舗のドアなどガラス８に貼着されるものである。前記ガラス８は、屋外に面した屋外側と、店舗内に面した店舗側と、なるように設置されており、前記両面印刷シール１０は、前記ガラス８の屋外側に貼着されるものである。
【００２９】
図中の矢印Ａは、屋外側から前記ガラス８に貼着された前記両面印刷シール１０を見た状態を示すものである。このように屋外側から前記両面印刷シール１０を見ると、前述したとおり、前記透明な樹脂フィルム１の他方の面に逆像で印刷された前記第１の印刷層３の内容「いらっしゃいませ」という文字を正像として見ることができるものである。
【００３０】
このように矢印Ａの方向から両面印刷シール１０を見ると、最表層である透明な光触媒層２および透明な樹脂フィルム１を透過して、第１の印刷層３および隠蔽層４を見ることになるので、白色のベタ印刷である隠蔽層４の上に、第１の印刷層３が赤色のインクで「いらっしゃいませ」と印刷されているように見える。また、前記隠蔽層４によって、第２の印刷層５の内容が隠蔽されているので、前述のとおり白色のベタ印刷上に「いらっしゃいませ」と赤文字で印刷されているようにしか見えないものである。
【００３１】
また、図中の矢印Ｂは、屋内側から前記ガラス８に貼着された前記両面印刷シール１０を見た状態を示すものである。このように屋内側から前記両面印刷シール１０を見ると、前述したとおり、前記隠蔽層４に相対して正像で印刷された前記第２の印刷層５の内容「ありがとうございました」という文字を正像として見ることができるものである。
【００３２】
このように矢印Ｂの方向から両面印刷シール１０を見ると、最表層である透明なガラス８および透明な接着剤層６を透過して、第２の印刷層５および隠蔽層４を見ることになるので、白色のベタ印刷である隠蔽層４の上に、第２の印刷層５が青色のインクで「ありがとうございました」と印刷されているように見える。また、前記隠蔽層４によって、第１の印刷層３の内容が隠蔽されているので、前述のとおり白色のベタ印刷上に「ありがとうございました」と青文字で印刷されているようにしか見えないものである。
【００３３】
以上のように、本発明の両面印刷シール１０は、ガラス８の屋外側に貼着して、屋外からは屋外側に向けられた第１の印刷層３を、ガラス８を透過して見るのでは無く、直接見るようにしたので、色の三要素である色相が変わったり、彩度が低くなったり、明度が低くなったりするということが無く、広告などの訴求を高めることができる。
【００３４】
また、本発明の両面印刷シール１０は、外出面（最表面）を光触媒層２としたので、光の照射により活性化されてその表面は親水化され、ちりやほこりなどの汚れとなる物質が表面に付着しても、親水化された表面によって、表面に付着する汚れとなる物質と、表面と、の間に水が割り込んで汚れとなる物質を浮かせるために付着しにくく、また付着しても降雨などにより容易に洗い流されて除去されるため、汚れとなる物質が堆積しにくくなるものである。
【００３５】
つまり、本発明の両面印刷シール１０は、透明な樹脂フィルム１と、前記透明な樹脂フィルム１の一方の面に設けられた光触媒を含有する透明な光触媒層２と、前記透明な樹脂フィルム１の他方の面に設けられた第１の印刷層３と、前記透明な樹脂フィルム１の他方の面および前記第１の印刷層３を隠蔽する隠蔽層４と、前記隠蔽層４に設けられた第２の印刷層５と、前記隠蔽層４および前記第２の印刷層５に設けられた接着剤層６と、前記接着剤層６に仮着された剥離紙７と、からなる両面印刷シール１０としたので、両面印刷シール１０をガラス８の外側（屋外側）に貼着して、外側（屋外側）に向けられた外出面（最表面）は、光触媒層２であることから  清掃する手間が不用な両面印刷シール１０を提供することができるものである。
【００３６】
なお、本発明が上記実施の形態に限定されず、本発明の技術思想の範囲内において、実施の形態は適宜変更可能である。また、上記構成部材の数、位置、形状等は上記実施の形態に限定されず、本発明を実施する上で好適な数、位置、形状等にすることができる。  
【図面の簡単な説明】
【００３７】
【図１】本発明にかかる両面印刷シールの概略断面図である。
【図２】本発明にかかる両面印刷シールをガラスに貼着した状態を示す概略断面図である。
【符号の説明】
【００３８】
１  透明な樹脂フィルム
２  光触媒層
３  第１の印刷層
４  隠蔽層
５  第２の印刷層
６  接着剤層
７  剥離紙
８  ガラス
１０  両面印刷シール
【図１】
2007219331.tif 000003
【図２】
2007219331.tif 000004